(57)【要約】【課題】使用しないときには、設置した部屋の空間を狭くすることのない壁とすることができ、ベッド、机、あるいはソファ―に簡単に変換することができる組立家具を提供すること。【解決手段】外枠１０内に、手前側に開閉可能に連結したベッド枠１１及び机板２０とを収納するとともに、ベッド枠１１の下縁を外枠１０に対して手前側に開閉可能に連結し、ベッド枠１１内に収納した複数のソファー枠１２の下縁を外枠１０に開閉可能に連結するとともに、ソファー枠１２内に脚板２１を収納してこれを左右方向に開閉可能に連結したこと。【選択図】図１
0003115863.tif 000002
【実用新案登録請求の範囲】
【請求項１】
外枠（１０）内に、手前側に開閉可能に連結したベッド枠（１１）及び机板（２０）とを収納するとともに、ベッド枠（１１）の下縁を外枠（１０）に対して手前側に開閉可能に連結し、
ベッド枠（１１）内に収納した複数のソファー枠（１２）の下縁を外枠（１０）に開閉可能に連結するとともに、ソファー枠（１２）内に脚板（２１）を収納してこれを左右方向に開閉可能に連結したことを特徴とする壁型の組立家具。
【考案の詳細な説明】
【技術分野】
【０００１】
本考案は、壁型の組立家具に関し、特に、使用しないときには部屋内の壁を形成し、必要に応じて、机、ベッド、そしてソファーを構成することができるといった多機能を備えた壁型の組立家具に関するものである。
【背景技術】
【０００２】
従来の壁型組立家具は、収納壁面の一部を机だけに転換したり、ベッドだけに転換するものが主体であって、例えば特許文献１や特許文献２等にその具体例が見られる。
【特許文献１】特開２００３−２８９９６４号公報、要約
【特許文献２】特開２００３−２８９９６３号公報、要約
【考案の開示】
【考案が解決しようとする課題】
【０００３】
特許文献１の「多機能家具セット」は、「家具の底面にブレーキ付キャスタが設けられており、箇々の家具がそれぞれに４〜６箇のブレーキ付キャスタのみにより住居の床上に支持されており昇降階段として使用される場合、昇降に際し不安定感があり、また、室内の適宜の場所に移動して使用する場合、家具の表裏両側から利用したくても、表側からしか利用できず、不便であることを解決するためになされたものであり、昇降階段として使用される場合の安定感が得られ、家具の表裏両側から利用が可能な多機能家具セットを提供する」ことを目的としてなされたもので、図５に示すように、「複数の家具を組合せてロフト昇降用階段として利用される多機能家具セット１１において、前記家具が相互に連結金具により連結固定可能に構成されていることを特徴とする多機能家具セット」といった構成を有しているものである。
【０００４】
しかしながら、特許文献１の「多機能家具セット」は、引き出しや箪笥をロフト昇降用階段として利用されるものであって、それ以上のものではない。
【０００５】
一方、特許文献２に記載されている「多機能家具」は、「居住室内を狭くすること無く、机あるいは作業台に効率的に利用できる多機能家具を提供すること」を目的としてなされたもので、図６に示すように、「箱型に構成され、正面の左右方向に二分割された一方に開き戸１１が設けられた多機能家具１０において、前記正面の左右方向二分割の他方に平板１３を設け、該平板１３が水平直線状の上辺部を前記正面に蝶番１４で回転支持され、下辺部を少なくとも９０度外側に跳ね上げることが出来るように構成される多機能家具であり、さらに、前記平板１３は、降ろした状態で、表面が前記多機能家具１０の表面以内に収まるように構成されていることを特徴とする多機能家具」といった構成を有しているものである。
【０００６】
しかしながら、この特許文献２に記載されている「多機能家具」も、居住室内を狭くすること無く、机あるいは作業台を効率的に利用できるだけのものであって、それ以上のものではない。
【０００７】
また、上記の特許文献１についても特許文献２についても、家具個別の収納容積、つまり大きな収納スペースを要する多機能家具に関するものであり、限られた空間内で、ベッド、机、そしてソファ―といった、個人の生活場面に応じた空間の創造をすることができないものであったのである。
【０００８】
そこで、本考案者は、大きなスペースを必要としないで、文字通り多機能な家具とするにはどうしたよいか、について種々検討を重ねてきた結果、本考案を案出したのである。
【０００９】
すなわち、本考案の目的とするところは、使用しないときには、設置した部屋の空間を狭くすることのない壁となり、必要に応じて、ベッド、机、あるいはソファ―に簡単に変換することのできる壁型の組立家具を提供することである。
【課題を解決するための手段】
【００１０】
上記目的を達成するために、本考案の採った手段は、図面に示した最良の形態中で使用している符号を付して説明すると、
「外枠１０内に、手前側に開閉可能に連結したベッド枠１１及び机板２０とを収納するとともに、ベッド枠１１の下縁を外枠１０に対して手前側に開閉可能に連結し、
ベッド枠１１内に収納した複数のソファー枠１２の下縁を外枠１０に開閉可能に連結するとともに、ソファー枠１２内に脚板２１を収納してこれを左右方向に開閉可能に連結したことを特徴とする壁型の組立家具１００」
である。
【００１１】
すなわち、本考案に係る組立家具１００は、通常の部屋であれば十分確保することのできる２ｍ×１．５ｍ程度（シングルベッドの大きさ）の壁面スペースのみで、日常生活に必要な生活家具一式、つまりベッド、机、そしてソファ―の収納を可能とするものである。
【００１２】
まず、この組立家具１００は、図１に示すように、これを家具として使用しない場合には、各部材を外枠１０内に全て折り畳んでおいて「壁」とすることができるものであり、しかも各部材の露出面には、「壁」として適した装飾、例えば「障子」や構成材の「木目」をそのまま利用しているため、設置した部屋内の雰囲気を阻害するものではない。
【００１３】
この組立家具１００は、後述する最良形態で示すように、外枠１０内に蝶番２０ａによって手前側に開閉可能に連結したベッド枠１１及び机板２０とを収納するとともに、ベッド枠１１の下縁を蝶番１１ａによって外枠１０に対して手前側に開閉可能に連結してあるから、図４に示すように、ベッド枠１１及び机板２０を手前側に展開することができる。そして、展開されたベッド枠１１及び机板２０上に適宜な寝具を敷けば、当該組立家具１００はベッドとして使用することができるのである。
【００１４】
また、この組立家具１００は、ベッド枠１１内に収納した複数のソファー枠１２の下縁を外枠１０に蝶番１１ａによって開閉可能に連結したから、各ソファー枠１２だけを手前側に展開することができるのであり、そのときには、図３に示すように、各ソファー枠１２内に座布団等を敷けば、各ソファー枠１２をソファーとして使用することができるのである。
【００１５】
さらに、この組立家具１００は、ソファー枠１２内に脚板２１を収納してこれを蝶番１２ａによって左右方向に開閉可能に連結してあったから、図２に示すように、各脚板２１を、ベッド枠１１に対して手前側に展開した机板２０の「支持脚」とすることができて、展開した机板２０を文字通り机として使用することができるのである。
【００１６】
従って、本考案に係るた壁型の組立家具１００は、使用しないときには、設置した部屋の空間を狭くすることのない壁とすることができるのであり、生活状況に応じて、ベッド、机、あるいはソファ―に簡単に変換することができるものとなっているのである。
【考案の効果】
【００１７】
以上の通り、本考案に係る組立家具１００は、
「外枠１０内に、手前側に開閉可能に連結したベッド枠１１及び机板２０とを収納するとともに、ベッド枠１１の下縁を外枠１０に対して手前側に開閉可能に連結し、
ベッド枠１１内に収納した複数のソファー枠１２の下縁を外枠１０に開閉可能に連結するとともに、ソファー枠１２内に脚板２１を収納してこれを左右方向に開閉可能に連結したこと」
にその構成上の特徴があり、これにより、使用しないときには、設置した部屋の空間を狭くすることのない壁とすることができるのであり、生活状況に応じて、ベッド、机、あるいはソファ―に簡単に変換することができるのである。
【００１８】
つまり、本考案にあっては次に列挙する効果が得られる。
【００１９】
１）多機能を備えた薄型壁面用箱家具であるため、6畳一間の限られたスペースであっても、必要に応じて、和室空間場面、ソファ―で寛ぐ場面、勉強机で学習や作業をする場面、ベッドで就寝場面など、個々の生活動作に応じた空間の演出が可能。
【００２０】
２）日本の伝統的箱家具の発想と同様、ひとつの生活動作の終了に応じて、「しまう」「おさめる」等の生活行動が習慣となることが可能。
【００２１】
３）今日の日本の住宅では、各個室に冷暖房等の空調や光源が設置され、個々に消費されているが、本考案の薄型壁面用箱家具を１空間の壁面に何台が設置することにより、共通の冷暖房による快適空間を必要に応じて「個室空間」として活用することができる。
【００２２】
４）子供のいる家庭では、子供の発達段階に応じた「個室空間」を設置することが可能。
【００２３】
５）子供の精神面では、本考案の薄型壁面用箱家具により生まれる「あいまいな個室空間」により、親子、家族の「気配」を感じて生活することができるのではないであろうか。
【００２４】
６）本考案の薄型壁面用箱家具により、災害時の簡易宿泊所等における「個室空間」の確保が可能となる。
【考案を実施するための最良の形態】
【００２５】
以下、本考案を、図面に示した最良の形態である組立家具１００に基づいて説明すると、この組立家具１００は、図１〜図４に示したように、まず、外枠１０内に蝶番２０ａによって手前側に開閉可能に連結したベッド枠１１及び机板２０とを収納するとともに、ベッド枠１１の下縁を蝶番１１ａによって外枠１０に対して手前側に開閉可能に連結したものである。
【００２６】
また、この壁型の組立家具１００は、図１〜図４に示したように、ベッド枠１１内に収納した複数のソファー枠１２の下縁を外枠１０に蝶番１１ａによって開閉可能に連結するとともに、ソファー枠１２内に脚板２１を収納してこれを蝶番１２ａによって左右方向に開閉可能に連結したものである。
【００２７】
外枠１０は、前述したように、その外形については２ｍ×１．５ｍ程度（シングルベッドの大きさ程度）となるようにしたものであるが、その厚さについては、各ベッド枠１１やソファー枠１２、及び机板２０が折り畳んで収納できる程度のものとしたものである。この外枠１０の厚さは、これを大きくすれば、例えば、ベッド枠１１や各ソファー枠１２の内側にクッション材を予め設けておくことができるものであり、必要に応じて適宜変更することができるものである。
【００２８】
勿論、ベッド枠１１と机板２０は、外枠１０に対して個別に固定されるストッパを有しており、各ソファー枠１２はベッド枠１１に対して固定されるストッパを有している。また、各脚板２１は、ソファー枠１２内に収納されているものであるから、このソファー枠１２に対して固定するストッパを有しているものである。従って、当該組立家具１００では、「机」として使用するか、「ベッド」として使用するか、あるいは「ソファー」として使用するかに応じて、各部材のストッパを選択的に外すのである。
【００２９】
図１は、本考案に係る組立家具１００の収納状態を示したものであり、和室空間の壁面として違和感のない状態になっている。
【００３０】
図２は、本考案に係る組立家具１００を「勉強机」として使用している例を示しているもので、外枠１０の上半分に該当する机板２０を前方引きして水平に展開したものである。この机板２０を展開するに際しては、下部の左右の脚板２１を開いておき、机板２０の下面を支えるようにしておくものである。
【００３１】
この机板２０は、図４に示したように、ベッド枠１１と一緒に展開することによりベッドの下板となるものであり、この机板２０の表面（図２に示した状態では、図示上面）上に寝具が載せられることになる。また、この展開した机板２０の前方には画鋲なども用いることができるようコルク板を貼ったり、書籍やノート等を挟むための棒を設けたり、ノートパソコンを立てかけ保管する横棒を設けたりして実施するとよい。
【００３２】
図３は、本考案に係る組立家具１００を「ソファー」として使用している状態を示したもので、外枠１０の高さの２分の１（本最良形態では床から１０ｃｍ＋６０ｃｍの位置）に該当するソファー枠１２を、取手を利用して前方引きし展開してソファ―に展開した状態を示しているものである。
【００３３】
図４は、本考案に係る組立家具１００を「ベッド」として使用している状態を示したもので、ベッド枠１１の外枠１０へのストッパを外して、当該ベッド枠１１と上記机板２０とを手前に倒して展開したものである。勿論、展開したベッド枠１１及び机板２０内にはクッションを設置して、就寝時のベッドとするのである。図４中の符号１１ｂで示した部分は、ベッドにした場合の脚部となり、符号１１ｃで示した部分は、穴あき板を設置したベッドに展開した場合の内部壁面となる。このベッドの内部壁面には、時計・カレンダー・ポスター等を各自レイアウトすることが可能である。
【産業上の利用可能性】
【００３４】
本考案を活用することにより、省エネが課題とされる今日、共同空間を必要に応じて個室として分割することも可能。また災害時の避難所など緊急措置的な場面での「個」の空間の確保に関する問題に対し、本考案に係る組立家具１００は、1つの解決方法を提案する。
【００３５】
本考案の産業上の利用可能性としては、
（１）薄型壁面用箱家具として創作家具製造業の分野における採択、
（２）リフォーム業において狭小住宅等の個室確保の１解決案としての採択、
（３）住宅メーカーの作り付け家具としての採択、
（４）防災及び災害対策用品を製造する分野における緊急避難時の簡易個室製造としての採択等の４パターンが考えられる。
【図面の簡単な説明】
【００３６】
【図１】本考案に係る組立家具の収納時の状態、つまり和室や洋室の壁面の一部を構している状態を示した斜視図である。
【図２】同組立家具を勉強机として展開した斜視図である。
【図３】同組立家具をソファ―として展開した斜視図である。
【図４】同組立家具をベッドとして展開した図である。
【図５】従来の技術を示す正面図である。
【図６】従来の別の技術を示す斜視図である。
【符号の説明】
【００３７】
１００    組立家具
１０    外枠
１１    ベッド枠
１１ａ・１２ａ・２０ａ  蝶番
１２    ソファー枠
２０    机板
２１    脚板
【図１】
0003115863.tif 000003
【図２】
0003115863.tif 000004
【図３】
0003115863.tif 000005
【図４】
0003115863.tif 000006
【図５】
0003115863.tif 000007
【図６】
0003115863.tif 000008